(57)【要約】【課題】音声報知用のスピーカーに結露し難くするとともに、スピーカーの発する報知音声を外部から聞き取りやすい浴室暖房乾燥機を提供する【解決手段】ケーシング２、吸込口３，４、吹出口６、及びケーシング２内に設けられた送風装置９と熱交換器（空気加熱装置）１０を備えた浴室暖房乾燥機１において、吹出口６に開閉自在に設けられた吹出口ダンパ７よりも内側にスピーカー１１を設けた。送風装置９から暖気が吹き出される際は、吹出口ダンパ７が開くので、スピーカー１１の音声は外部によく届く。一方、送風装置９が停止しているときには吹出口ダンパ７を閉じるため、スピーカー１１に結露しにくくなる。【選択図】        図３
2005265204.tif 000002
【特許請求の範囲】
【請求項１】
ケーシングと、
前記ケーシングに開口形成された吸込口と、
前記ケーシングの前面又は下面に開口形成された吹出口と、
前記ケーシング内に設けられた送風装置と、
前記ケーシング内に設けられた空気加熱装置と、
を備え、前記送風装置により浴室内の空気を前記吸込口から吸引し、前記空気加熱装置で加熱又は乾燥した後、前記吹出口から浴室内に吐出することにより、浴室内の暖房又は乾燥を行う浴室暖房乾燥機において、
前記吹出口に開閉自在に設けられた吹出口ダンパと、
前記吹出口の前記吹出口ダンパよりも内側に設けられたスピーカーと、
を備えていることを特徴とする浴室暖房乾燥機。
【請求項２】
前記吹出口ダンパを開閉駆動するダンパ・モータと、
前記送風装置の駆動時には前記ダンパ・モータにより前記吹出口ダンパを開き、前記送風装置の停止時には前記ダンパ・モータにより前記吹出口ダンパを閉じる制御を行う制御装置と、
を備えていることを特徴とする請求項１記載の浴室暖房乾燥機。
【請求項３】
前記吹出口内部の一部分に、オーバー・ハング状にスピーカー取付面を形成し、前記スピーカーは前記スピーカー取付面に取り付けられていることを特徴とする請求項１又は２記載の浴室暖房乾燥機。
【発明の詳細な説明】
【技術分野】
【０００１】
本発明は、浴室内の暖房又は乾燥を行う浴室暖房乾燥機に関し、特に、音声ガイドのためのスピーカーを備えた浴室暖房乾燥機に関する。
【背景技術】
【０００２】
浴室内の暖房又は乾燥を行う浴室暖房乾燥機として、従来、特許文献１〜１０に記載のものが知られている。これらの浴室暖房乾燥機は、浴室の天井付近の壁面に設置するものである。浴室暖房乾燥機本体のケーシング内部には、送風ファンが設けられている。ケーシングの前面の一部は、ルーバ状に形成されており、ここから浴室内の空気を吸引する。そして、ケーシング内部の風路には、熱交換器が設けられており、この熱交換器に温水を流すことによって、風路内の空気を加温する。そして、加温された空気は、ケーシングの下部又は上部に設けられた吹出口から、再び浴室内に送風される。これにより、浴室内の暖房と乾燥を行う。
【特許文献１】特開２００４−３８６４号公報
【特許文献２】特開２００３−１４２８６号公報
【特許文献３】特開２００２−３４０３５４号公報
【特許文献４】特開２００２−３４０３５３号公報
【特許文献５】特開２０００−３４６３９１号公報
【特許文献６】特開平９−３１３７９１号公報
【特許文献７】特開平９−３１３７９０号公報
【特許文献８】特開平８−２８９９９８号公報
【特許文献９】特開平８−４２９６５号公報
【特許文献１０】特開平６−６３１０３号公報
【発明の開示】
【発明が解決しようとする課題】
【０００３】
ところで、上記従来の浴室暖房乾燥機を使用者が操作する場合には、通常は赤外線リモコン等を利用した遠隔操作が行われる。この場合、遠隔操作により設定される動作状態は、通常は表示パネルに設けられたＬＥＤなどの表示装置によって表示される。
【０００４】
しかしながら、浴室暖房乾燥機は、通常は浴室の天井付近に設置されるので、使用者から表示装置までは比較的長い距離がある。従って、弱視者や視覚障害者は浴室暖房乾燥機の動作状態を確認しにくいという問題があった。
【０００５】
そこで、浴室暖房乾燥機にスピーカーを設け、使用者が浴室暖房乾燥機をリモコンにより操作した際に、音声により操作した内容や動作状態を報知するようにすることが考えられる。そしてこの場合、浴室暖房乾燥機の前面パネルにスピーカーを設けることが考えられる。
【０００６】
しかしながら、浴室暖房乾燥機が設置される浴室は、高温多湿の環境にある。従って、前面パネルに設置されるスピーカーに、浴室内の水蒸気が結露してスピーカーが故障する可能性が大きい。また、スピーカーの格子状の開口部は小さいため、浴室内に浮遊する塵埃がスピーカーの開口部に付着・堆積すると、掃除がしにくい。また、前面パネルにスピーカーを取り付けると、浴室暖房乾燥機の外観もすっきりとしたものにはならない。
【０００７】
一方、スピーカーを浴室暖房乾燥機のケーシング内部に設けた場合、結露はしにくくなるものの、音がケーシング内にこもって、外部から音声が聞き取りにくくなる。
【０００８】
そこで、本発明の目的は、音声報知のためのスピーカーに結露しにくくし、かつスピーカーの発する報知音声を外部から聞き取りやすい浴室暖房乾燥機を提供することにある。
【課題を解決するための手段】
【０００９】
本発明に係る浴室暖房乾燥機の第１の構成は、ケーシングと、前記ケーシングに開口形成された吸込口と、前記ケーシングの前面又は下面に開口形成された吹出口と、前記ケーシング内に設けられた送風装置と、前記ケーシング内に設けられた空気加熱装置とを備え、前記送風装置により浴室内の空気を前記吸込口から吸引し、前記空気加熱装置で加熱又は乾燥した後、前記吹出口から浴室内に吐出することにより、浴室内の暖房又は乾燥を行う浴室暖房乾燥機において、前記吹出口に開閉自在に設けられた吹出口ダンパと、前記吹出口の前記吹出口ダンパよりも内側に設けられたスピーカーとを備えていることを特徴とする。
【００１０】
この構成によれば、送風装置により吹出口から空気が吹き出されているときには、吹出口ダンパが開き、スピーカーが吹出口を通してケーシング外部に露出する。従って、スピーカーから発生する音声はケーシング外部に届きやすい。そのため、使用者はスピーカーから発声される音声をはっきりと聞き取ることができる。一方、送風装置が停止しているときには吹出口ダンパを閉じておけば、スピーカーはケーシングの内部に隠される。すなわち、スピーカーはケーシングの外部に直接露出しない状態となる。これにより、スピーカーに結露水が入りにくくなる。
【００１１】
また、吹出口ダンパを閉じた状態では、スピーカーが外部から見えないため、浴室暖房乾燥機本体がすっきりとした外観となり、デザイン的にも優れたものとなる。
【００１２】
さらに、浴室暖房乾燥機の未使用時には吹出口ダンパを閉じておけば、スピーカーに浴室内に浮遊する塵埃が付着しにくくなる。したがって、掃除がしにくいスピーカー部分に塵埃が付着又は堆積することが防止され、浴室暖房乾燥機の掃除も容易となる。
【００１３】
本発明に係る浴室暖房乾燥機の第２の構成は、前記第１の構成において、前記吹出口ダンパを開閉駆動するダンパ・モータと、前記送風装置の駆動時には前記ダンパ・モータにより前記吹出口ダンパを開き、前記送風装置の停止時には前記ダンパ・モータにより前記吹出口ダンパを閉じる制御を行う制御装置とを備えていることを特徴とする。
【００１４】
この構成によれば、浴室暖房乾燥機の送風装置が停止している時には、制御装置がダンパ・モータにより自動的に吹出口ダンパを閉止する。したがって、スピーカーへの結露が防止される。一方、送風装置が駆動しているときには吹出口ダンパが開いてスピーカーはケーシング外部に露出するが、このとき、スピーカーは吹出口から送風される温風に曝された状態となる。従って、スピーカーに結露が生じにくい。故に、吹出口ダンパの閉止時にも開放時にも、スピーカーに結露が生じにくくなる。
【００１５】
本発明に係る浴室暖房乾燥機の第３の構成は、前記第１又は２の構成において、前記吹出口内部の一部分に、オーバー・ハング状にスピーカー取付面を形成し、前記スピーカーは前記スピーカー取付面に取り付けられていることを特徴とする。
【００１６】
このように、スピーカーをオーバー・ハング状のスピーカー取付面に取り付けるように構成すれば、仮にスピーカーの付近に結露が生じたとしても、スピーカーに結露水が溜まりにくくなる。また、スピーカーの内部に結露水が入りにくくなる。従って、結露によるスピーカーの故障を更に有効に防止することができる。
【００１７】
ここで、スピーカー取付面にスピーカーを取り付ける場合には、パッキンを介して取り付けるか、スピーカーを取り付けた後に、スピーカーとスピーカー取付面との隙間をコーキング材によりコーキングしておくのがよい。結露水や蒸気がスピーカーに侵入するのを確実に防止するためである。
【発明の効果】
【００１８】
以上のように、本発明に係る浴室暖房乾燥機によれば、送風装置が停止しているときには吹出口ダンパを閉じておくことにより、スピーカーがケーシング外部に直接露出しない状態となるため、スピーカーに結露水が入りにくくなる。従って、スピーカーから発声される音質が不調となったり、結露によりスピーカーが故障したりすることを有効に防止することができる。
【００１９】
また、浴室暖房乾燥機の使用時以外は、吹出口ダンパが閉じられた状態でスピーカーが外部から見えないため、浴室暖房乾燥機本体がすっきりとした外観となり、デザイン的にも優れたものとなる。
【００２０】
更に、浴室暖房乾燥機の未使用時には吹出口ダンパを閉じてスピーカーに塵埃が付着・堆積することを防止できる。従って、浴室暖房乾燥機の掃除が容易となり、労力を削減することができる。
【００２１】
また、浴室暖房乾燥機の送風装置が駆動しているときには吹出口ダンパが開いてスピーカーはケーシング外部に露出する。このとき、スピーカーは吹出口から送風される温風に曝される。従って、スピーカーに結露が生じにくい。故に、吹出口ダンパの閉止時・開放時を通して、スピーカーに結露が生じにくくなる。
【発明を実施するための最良の形態】
【００２２】
以下、本発明を実施するための最良の形態について、図面を参照しながら説明する。
【実施例１】
【００２３】
図１は本発明の実施例１に係る浴室暖房乾燥機の作動状態における外観図であり、図２は本発明の実施例１に係る浴室暖房乾燥機の停止状態における外観図である。また、図３は本発明の実施例１に係る浴室暖房乾燥機の断面図である。
【００２４】
本発明に係る浴室暖房乾燥機１は、プラスチック製のケーシング２の上面がルーバ状に形成されている。このルーバ状の部分が、浴室内の空気を吸引するための第１の吸込口３である。また、ケーシング２の前部をなす前面パネル２ａの下部には、第２の吸込口４が形成されている。また、ケーシング２の下面には、空気を吐出するための吹出口６が形成されている。吹出口６には、吹出口ダンパ７が回動自在に設けられている。吹出口ダンパ７は、ダンパ・モータ８によって回動駆動される。この吹出口ダンパ７は、吹出口６の開閉を行うものである。ケーシング２内に設けられた制御装置（図示せず）は、浴室暖房乾燥機１の停止時には、ダンパ・モータ８を駆動して吹出口６を吹出口ダンパ７で閉止する。また、浴室暖房乾燥機１の使用時には、ダンパ・モータ８を駆動して吹出口６を開放する。
【００２５】
ケーシング２の内部には、送風装置９、熱交換器１０、及びスピーカー１１が設けられている。本実施例では送風装置９としては、クロスフローファンを使用している。送風装置９は、第１及び第２の吸込口３，４から浴室内の空気を吸引して、吹出口６から吐出する。熱交換器（空気加熱装置）１０は、送風装置９の吸引口側の風路内に設けられている。この熱交換器１０は、温水パイプがジグザグに設けられている。この温水パイプの内部には、温水が流される。そして、温水の熱は、風路内の空気に供給される。これにより、風路内の空気が加温される。
【００２６】
吹出口６内の一部には、オーバー・ハング状に形成されたスピーカー取付面１２が設けられている。スピーカー１１は、このスピーカー取付面１２に、吹出口６から覗くようにして設けられている。吹出口ダンパ７が閉止した状態では、スピーカー１１は吹出口ダンパ７に覆われて外部に露出しない状態となる。一方、吹出口ダンパ７が開いた状態では、スピーカー１１は吹出口６からケーシング２の外部に露出した状態となる。
【００２７】
以上のような構成の本実施例の浴室暖房乾燥機１において、浴室暖房乾燥機１の停止時には、送風装置９は停止した状態にあり、図２のように吹出口６は吹出口ダンパ７で閉止されている。この状態では、スピーカー１１は、ケーシング２の外部には露出していない。従って、浴室内の水蒸気がスピーカー１１に結露するのを抑止することができる。また、スピーカー１１に塵埃が付着・堆積することも防止される。
【００２８】
更に、スピーカー１１は、オーバー・ハング状のスピーカー取付面１２に下向きに取り付けられている。そのため、仮にスピーカー取付面１２に結露したとしても、結露水は、スピーカー取付面１２から下方に滴り落ち、又は流れ落ちる。そのため、スピーカー１１に結露水が溜まることがない。従って、スピーカー１１が結露水に浸されて故障するのを防止することができる。
【００２９】
一方、浴室暖房乾燥機１の駆動時には、送風装置９は駆動状態にあり、図１のように吹出口６の吹出口ダンパ７は開放されている。この状態では、スピーカー１１は、吹出口６から外部に露出した状態にある。そのため、スピーカー１１の音声は、ケーシング２の外部に直接発せられる。従って、使用者はスピーカー１１の発する報知音声を聞き取りやすくなる。
【００３０】
また、この状態では、スピーカー１１はケーシング２の外部に露出しているが、吹出口６から吐出される温風に曝された状態にある。従って、スピーカー１１に結露する心配はない。
【００３１】
以上のように、本実施例に係る浴室暖房乾燥機１によれば、停止時及び駆動時を通してスピーカー１１に結露しにくくすることができる。そして、浴室暖房乾燥機１の駆動時には、スピーカー１１の発する報知音声を、使用者が外部から聞き取りやすくすることができる。
【図面の簡単な説明】
【００３２】
【図１】本発明の実施例１に係る浴室暖房乾燥機の作動状態における外観図である。
【図２】本発明の実施例１に係る浴室暖房乾燥機の停止状態における外観図である。
【図３】本発明の実施例１に係る浴室暖房乾燥機の断面図である。
【符号の説明】
【００３３】
１  浴室暖房乾燥機
２  ケーシング
２ａ  前面パネル
３  第１の吸込口
４  第２の吸込口
６  吹出口
７  吹出口ダンパ
８  ダンパ・モータ
９  送風装置
１０  熱交換器（空気加熱装置）
１１  スピーカー
１２  スピーカー取付面
【図１】
2005265204.tif 000003
【図２】
2005265204.tif 000004
【図３】
2005265204.tif 000005